(57)【要約】【課題】災害時など使用可能な水量に制限が存在する状況において、自動分析装置の消費水量と測定項目数についての情報をユーザへ提供し、計画的な測定が可能な装置を提供することにある。【解決手段】反応ディスクによって保持される複数の反応セルと、前記反応セルに、検体を吐出する検体サンプリング機構と、反応セルに、試薬を吐出する試薬サンプリング機構と、検体と試薬との混合液の光学的測定を行う機構と、を備えた自動分析装置において、分析する測定項目数と、該測定項目数に対応する消費水量とを表示する画面を備えることを特徴とする自動分析装置。【選択図】図１
2014021080.tif 000002
【特許請求の範囲】
【請求項１】
反応ディスクによって保持される複数の反応セルと、
前記反応セルに、検体を吐出する検体サンプリング機構と、
前記反応セルに、試薬を吐出する試薬サンプリング機構と、
検体と試薬との混合液の光学的測定を行う機構と、を備えた自動分析装置において、
分析する測定項目数と、該測定項目数に対応する消費水量とを表示する画面を備えることを特徴とする自動分析装置。
【請求項２】
請求項１記載の自動分析装置において、
ユーザが使用可能な消費水量を入力すると、入力した消費水量に応じて測定可能な項目数を前記画面に表示するか、又は、
ユーザが希望する測定項目数を入力すると、入力した測定項目数に応じて必要な水量を前記画面に表示する自動分析装置。
【請求項３】
請求項１又は２記載の自動分析装置において、
前記測定項目数と前記消費水量との関係は、数式又は対応表によって定まることを特徴とする自動分析装置。
【請求項４】
請求項３記載の自動分析装置において、
前記数式又は対応表は、装置の設定によって、異なる数式又は対応表が予め記憶部に記憶されていることを特徴とする自動分析装置。
【発明の詳細な説明】
【技術分野】
【０００１】
本発明は病院等で使用される自動分析装置、特に反応ディスクによって保持される複数の反応セルに対して、血液等の検体と試薬との混合液の光学的測定を行う自動分析装置に関する。
【背景技術】
【０００２】
従来の自動分析装置において、自動分析装置のランニングコストを低減するために前記反応セルの洗浄やセルブランク測定の際に必要となる水の量を低減する試みがなされてきた。たとえば、特開２０１１−１７９８２５号公報ではセルブランク測定の消費水量を低減する発明について開示している。また、特開平０９−０９６６４０号公報では反応セル洗浄の水量低減について開示している。また、特開平０９−３１８６３５号公報では反応セルを一定の温度に保つための反応槽水の水量低減について開示している。
【先行技術文献】
【特許文献】
【０００３】
【特許文献１】特開２０１１−１７９８２５号公報
【特許文献２】特開平０９−０９６６４０号公報
【特許文献３】特開平０９−３１８６３５号公報
【発明の概要】
【発明が解決しようとする課題】
【０００４】
通常時の自動分析装置にとって消費水量の低減はランニングコストの低減や環境負荷の低減を目的としているため、消費水量をどれだけ低減できるかという観点で技術開発が従来行われてきた。
【０００５】
しかし、地震など災害時に断水が起きて、貯水用のタンクの水を使用する場合など自動分析装置に使用可能な水量に制限が存在する状況が考えられる。該状況において測定に水を消費し、自動分析装置に使用可能な水が不足すると、自動分析装置のセル・プローブ洗浄やセルブランク測定ができず、測定が不可能になる。
【０００６】
また、前記消費水量を低減する方法によって水を節約したとしても、ユーザは限られた水量でどれだけの数の測定が可能であるかが判断できず、計画的な測定が不可能となる恐れがある。
【０００７】
本発明の目的は、前記使用可能な水量に制限が存在する状況において、自動分析装置の消費水量と測定数についての情報をユーザへ提供することが可能な装置を提供することにある。
【課題を解決するための手段】
【０００８】
代表的な本発明は、（１）反応ディスクによって保持される複数の反応セルと、前記反応セルに、検体を吐出する検体サンプリング機構と、前記反応セルに、試薬を吐出する試薬サンプリング機構と、検体と試薬との混合液の光学的測定を行う機構と、を備えた自動分析装置において、分析する測定項目数と、該測定項目数に対応する消費水量とを表示する画面を備える自動分析装置である。
【０００９】
（２）（１）において、ユーザが使用可能な消費水量を入力すると、入力した消費水量に応じて測定可能な項目数を前記画面に表示するか、又は、ユーザが希望する測定項目数を入力すると、入力した測定項目数に応じて必要な水量を前記画面に表示する自動分析装置である。
【００１０】
（３）（１）又は（２）において、前記測定項目数と前記消費水量との関係は、数式又は対応表によって定まる自動分析装置である。
【００１１】
（４）（３）において、前記数式又は対応表は、装置の設定によって、異なる数式又は対応表が予め記憶部に記憶されている自動分析装置である。
【００１２】
自動分析装置が消費する水量について、消費水量と測定項目数についての情報をユーザへ提供し、災害などの状況においてもユーザが必要とする測定項目数について判断すること可能とする。また、一方を入力し、他方が出力されることで、ユーザは容易に消費水量と測定項目数との関係を把握することができる。出力については、数式に基づく算出や、対応表に基づく出力のいずれでも対応することができる。さらに、装置の設定によって、同じ測定項目数であっても消費水量が異なる場合には、予め装置の設定に応じた、数式や対応表を記憶していることで、分析予定の装置設定に対応した、消費水量と測定項目数との関係を把握することができる。従い、消費水量と測定項目数との関係について、ユーザはより正確な情報を得ることができる。
【発明の効果】
【００１３】
本発明により、消費水量が制限される状況において計画的な装置の使用を可能とし、ユーザの利便性向上に貢献することができる。
【図面の簡単な説明】
【００１４】
【図１】本発明の実施例に係るもので、消費水量と測定項目数についての情報をユーザへ提供する画面を示す図である。
【図２】本発明の実施例に係るもので、自動分析装置を構成する要素を示す図である。
【図３】本発明の実施例に係るもので、消費水量と測定項目数についての情報を表す表を示す図である。
【発明を実施するための形態】
【００１５】
本発明の一実施形態を図１、２により説明する。
【００１６】
まず、図２に沿い、反応容器の配置ならびに測定分析に関連する機構及び自動分析の水の消費を含む自動分析装置の概要から述べる。
【００１７】
自動分析装置は、分析部２１０とインターフェイス・制御部２１１からなる。また、分析部２１０は試薬ディスク２０５と、反応容器２０１と、試薬サンプリング機構２０８と、検体２０７と、検体サンプリング機構２０６と、水吐出機構２０２（セル洗浄水・セルブランク水の注入機構）と、廃液排出機構２０４（測定後の検体・試薬・洗浄水・セルブランク水の吸い出し機構）と、光度計２０３（光学的測定手段）と、反応容器２０１を一定温度に保つ温浴機構２０９を有する。この他に図示されていない、例えば反応容器２０１内の反応液を撹拌する撹拌機構なども試薬ディスク２０５の周りに備えられる。
【００１８】
円状に配置された複数の反応容器２０１は試薬ディスク２０５の周りに沿って定周期で移動する。その際、温浴機構２０９に満たされた反応槽水によって反応容器２０１は一定の温度に保たれる。
【００１９】
本実施例では、反応容器２０１が４０６個、検体サンプリング機構２０６及び試薬サンプリング機構２０８が夫々２系統ある自動分析装置について述べる。
【００２０】
検体の測定を行う前に反応容器２０１の洗浄が行われる。測定前には反応容器２０１に何が入っているのか不定のため、廃液排出機構２０４による吸い出し操作の後、水吐出機構２０２によって水の吐出を行い、再度廃液排出機構２０４によって吸い出す。該動作を全ての反応容器２０１について行う。
【００２１】
次に反応容器２０１のセルブランク測定がなされる。セルブランク測定は、水を入れた反応容器２０１の吸光度を測定し、測定の際に各反応容器２０１のゼロ点を補正するために行われる。
【００２２】
水を入れた反応容器２０１を定周期で回転するときに、光度計２０３で反応容器２０１の吸光度測定をしてセルブランク測定は行われる。
【００２３】
セルブランク測定を終えた後は廃液排出機構２０４により反応容器２０１から水を吸い出す。
【００２４】
続いて反応容器２０１が移動し、検体サンプリング機構２０６によって検体２０７の一部が反応容器２０１に分注される。
【００２５】
続いて反応容器２０１が移動し、試薬サンプリング機構２０８によって試薬ディスク２０５から反応容器２０１へ試薬が分注され、試薬と検体は混合して反応し、反応液（混合液）が生成される。反応液が入った反応容器２０１は、定周期で回転するときに光度計２０３で吸光光度測定を行い、検体の成分が測定される。
【００２６】
反応容器２０１は水の吐出・排出、検体や試薬の分注を受ける時は移動を止めている必要があるため、移動と停止を一定の周期で繰り返している。
【００２７】
以上が自動分析装置の概要である。
【００２８】
次に、自動分析装置の消費水量と測定項目数についての情報の表示について述べる。図１に自動分析装置の消費水量と測定項目数についての情報を表示する画面を示す。
【００２９】
該自動分析装置の消費水量と測定項目数についての情報を表示する画面は、計算実行ボタン１０１と、ユーザが入力する使用可能水量入力欄１０２と、希望測定項目数入力欄１０４と、ユーザへ提供する情報の表示を行う測定可能項目数表示欄１０３と必要水量表示欄１０５と、各消費水量削減設定画面へ遷移するための画面遷移ボタン１０６からなる。また、該自動分析装置の消費水量と測定項目数についての情報を表示する画面は、インターフェイス・制御部２１１に表示される。図１に示す画面により、ユーザは消費水量と測定項目数との関係を把握することができ、消費水量が制限される状況において計画的な装置の使用の判断材料とすることができる。また、ユーザの利便性が向上する。
【００３０】
なお、使用可能水量入力欄１０２と、測定可能項目数表示欄１０３、希望測定項目数入力欄１０４、必要水量表示欄１０５を１つの画面に表示する例を示したが、利用可能水量入力欄１０２と測定可能項目数表示欄１０３と、希望測定項目数入力欄１０４と必要水量表示欄１０５との一方の組合せのみを１つの画面に表示させてもよい。
【００３１】
次に自動分析装置の消費水量と測定項目数の関係を表す情報について述べる。
【００３２】
自動分析装置はあらかじめ消費水量と測定項目数の関係を表す数式を備える。該数式は、例えば、Ｙ＝ＡＸ＋Ｂの形式で表される。Ｙは消費水量を、Ｘは測定項目数を表し、Ａは消費水量と測定数の比を、Ｂは測定数に関係なく消費する水量を表している。該数式の定数ＡとＢは、自動分析装置の設計時の見積もり、あるいは製造時の検査により決定され、装置内の記憶部に記憶されている。
【００３３】
計算実行ボタン１０１が押下されると、ユーザが使用可能水量入力欄１０２又は希望測定項目数入力欄１０４に入力した数値と、前記数式に従って計算を行い、測定可能項目数表示欄１０３又は必要水量表示欄１０５に計算結果を表示する。該機能により、ユーザは一方の情報が把握できれば、ユーザへ消費水量と測定項目数についての情報を容易に得ることが可能となる。
【００３４】
次に、単位測定数あたりの消費水量が変化した場合について述べる。
【００３５】
前記先行技術文献では、種々の方法によって消費水量を低減する方法が述べられている。この方法によって使用可能な水量に制限が存在する状況においてより多くの測定を行うことが可能になると考えられる。その一例として、特許文献１で開示されているセルブランク水の削減の要点について述べる。
【００３６】
セルブランク測定は、前記したように反応容器２０１のゼロ点を補正するために行なわれる。時間経過による測定値の変動を防ぐため、セルブランク測定は検体分注の直前に行なわれることが望ましい。セルブランク測定には一定の時間がかかるため、検体２０７の投入後すぐに検体分注を開始するために通常は全ての反応容器２０１に対して常時セルブランク測定を行っている。
【００３７】
しかし、検体２０７の数量が少ない場合は全ての反応容器２０１を使用しないため、全ての反応容器２０１に対して常時セルブランク測定を行うことはセルブランク測定に使用する水の無駄となる。そのため、検体２０７の数量に応じてセルブランク水を入れる反応容器２０１の数量を制限する水削減モードを備えることでセルブランク水の低減を行い、消費水量の削減を図っている。
【００３８】
前記方法によって消費水量が変化した場合、ユーザへ提供する消費水量と測定項目数についての情報も変化させる必要がある。
【００３９】
ユーザの利便性向上のため、画面遷移ボタン１０６の押下により前記方法による消費水量の低減を設定する画面へ遷移する。該設定の際の消費水量を低減する方法や画面の説明は、前記先行技術文献に述べられている。
【００４０】
該設定の変更によって、前記数式の定数ＡやＢを定数ＣやＤに変化させる。該変化はあらかじめ自動分析装置に備えられた対応表によって示される。該対応表は、設計時に決定され、装置内の記憶部に記憶されている。
【００４１】
また、前記先行技術文献による消費水量を低減する方法に限らず、新たな消費水量を低減する方法を自動分析装置に用いる場合は、該テーブルを再設計することで、対応することが可能である。
【００４２】
このように、装置の設定によって、異なる数式が装置に記憶されて、装置の設定状況に応じて、使用する数式を変更することができる。このように、単位測定項目数あたりの消費水量が変化した場合でも、その設定に応じて消費水量と測定項目数についての情報の表示を変化させることが可能である。
【００４３】
本発明の別の実施例を説明する。
【００４４】
自動分析装置の概要や、消費水量と測定項目数についての情報を表示する画面は前記実施例と同様である。自動分析装置の消費水量と測定項目数の関係を表す情報について、図３により説明する。
【００４５】
自動分析装置はあらかじめ消費水量と測定項目数の関係を表す対応表を備える。該対応表は、識別番号３０１と項目数３０２と使用水量データ３０３によって構成される。該対応表の数値は設計時の見積もり及び製造時の検査によって決定され、装置内の記憶部に記憶されている。
【００４６】
ユーザが使用可能水量入力欄１０２又は希望測定項目数入力欄１０４に入力した数値に対応する数値を、項目数３０２又は使用水量データ３０３から選択する。該選択した数値を測定可能項目数表示欄１０３又は必要水量表示欄１０５に表示する。
【００４７】
また、前記実施例において記述した単位測定項目数あたりの消費水量が変化する場合は、その場合の数に応じた使用水量データ３０３の列をあらかじめ備えることが好ましい（使用水量２）。使用水量２は、使用水量１より使用水量が少なく、消費水量が少ないモードでの使用水量であることが分かる。該対応表を装置内の記憶部に記憶していることで、単位測定数あたりの消費水量が変化した場合でも、その設定に応じて消費水量と測定数についての情報の表示を変化させることが可能である。
【符号の説明】
【００４８】
１０１…計算実行ボタン
１０２…使用可能水量入力欄
１０３…測定可能項目数表示欄
１０４…希望測定項目数入力欄
１０５…必要水量表示欄
１０６…画面遷移ボタン
２０１…反応容器
２０２…水吐出機構（セル洗浄水・セルブランク水の注入機構）
２０３…光度計（光学的測定手段）
２０４…廃液排出機構（測定後の検体・試薬・洗浄水・セルブランク水の吸い出し機構）
２０５…試薬ディスク
２０６…検体サンプリング機構
２０７…検体
２０８…試薬サンプリング機構
２０９…温浴機構
２１０…分析部
２１１…インターフェイス・制御部
３０１…識別番号
３０２…項目数
３０３…使用水量データ
【図１】
2014021080.tif 000003
【図２】
2014021080.tif 000004
【図３】
2014021080.tif 000005